(57)【要約】【課題】  アクセサリー類を、布製の被装着物の任意の箇所に簡単に着脱でき、外れにくく、被装着物に孔を空けたりする必要もなく、製造も容易な取付具を提供する。【解決手段】  装飾体１の裏面に設けられる略円盤状の雄側部材２と、該雄側部材２に係脱自在に外挿される略円環状の雌側部材３とを具備し、雄側部材２は、大径とされた略円盤状の係合部４と、該係合部４の中心部から突出され、先端部に装飾体１が設けられる小径の軸部５とを有し、雌側部材３は、係合部４が挿入される環状部６と、該環状部６の孔７の内面に円周方向に間隔９を明けて凹凸状に突出形成される複数の係合片８とを有する。係合部４が環状部６内に挿入された状態で、係合片８の内縁裏側に係脱自在に係合される。【選択図】      図５
2005095228.tif 000002
【特許請求の範囲】
【請求項１】
アクセサリー類の本体を構成する装飾体の裏面に固定若しくは着脱自在に設けられる雄側部材と、該雄側部材に係脱自在とされる雌側部材とを具備し、
前記雄側部材は、係合部と、該係合部から突出され、先端部に前記装飾体が設けられる軸部とを有し、
前記雌側部材は、前記係合部が挿入される環状部と、該環状部の孔の内面に円周方向に間隔を明けて突出される複数の係合片とを有し、
前記雄側部材の係合部が前記雌側部材の環状部内に挿入された状態で、係合部が前記複数の各係合片の先端縁に係脱自在に係合されることを特徴とするアクセサリ−類の取付具。
【請求項２】
前記雄側部材及び雌側部材は、硬質合成樹脂による一体構造の成型品であることを特徴とする請求項１に記載のアクセサリ−類の取付具。
【請求項３】
前記複数の各係合片の先端縁を結ぶ線は、略円形の係合孔縁を形成し、この係合孔縁の直径は、略円形とされた前記雄側部材の係合部の直径と略同等若しくは小さく形成されたことを特徴とする請求項１又は２に記載のアクセサリ−類の取付具。
【請求項４】
前記雌側部材の環状部は、軸方向に一定の厚みを有しており、前記複数の各係合片は、環状部内壁面の厚みの表側又は裏側の一方に偏った位置に突出形成され、各係合片の突出形成位置の裏側又は表側に環状部の内壁面が表出されていることを特徴とする請求項１乃至３のいずれか１項に記載のアクセサリ−類の取付具。
【請求項５】
請求項１乃至４のいずれか１項に記載のアクセサリ−類の取付具を、アクセサリー類の本体を構成する装飾体の裏面に固定若しくは着脱自在に有するアクセサリー類。
【発明の詳細な説明】
【技術分野】
【０００１】
本発明は、主として、シャツやスカートなどの衣服、靴下、帽子、襟巻、スカーフ、或いは袋物などなどの布製品の一部にワンポイントとして設けられるブローチのようなアクセサリー類の取付具及び該取付具を固定して又は着脱自在に有するアクセサリー類に関するものである。
【背景技術】
【０００２】
従来から、ブローチやピンズなどのアクセサリー類を、衣服などの一部に安全ピンで固定したり、孔を空けて固定具で取り付けたりしていた。
【０００３】
ところが、下記特許文献１に示される装身具用止金具の場合、あらかじめ被装着物に孔を空ける必要があり、着脱を繰り返すとその孔が大きくなり破れる恐れがある。
【０００４】
また、特許文献２に示されるように、装飾体の裏面に設けた取付部の開口を伸縮自在として、衣服のボタンに装飾体を取り付けるものがある。ところが、このような取付構造では、固定箇所が衣服のボタンのある箇所に限定され、汎用性に欠けるばかりえなく、オリジナル性の点でも問題がある。
【０００５】
さらに、特許文献３の取付構造は、ゴム輪を利用して、布製品の任意の箇所に編みブローチを取り付けるものであるが、ゴム輪で固定するため、外れ易く、アクセサリーとしての美観の点でも問題がある。
【０００６】
また、特許文献２、３の取付構造では、ゴムの伸縮力を利用して取り付ける構造であるため、その着脱作業が面倒で、製作にも手間がかかる。
【特許文献１】実開平３−３３５０９号公報
【特許文献２】実開平５−６３３１０号公報
【特許文献３】実用新案登録第３０８４０４３号公報
【発明の開示】
【発明が解決しようとする課題】
【０００７】
本発明は、上記のような事情に基づいてなされたもので、その目的とするところは、ブローチのようなアクセサリー類を、衣服や靴下などの布製の被装着物の任意の箇所に簡単に着脱でき、外れにくく、被装着物に孔を空けたりする必要もなく、製造も容易なアクセサリー類の取付具及び該取付具を有するアクセサリー類を提供するものである。
【課題を解決するための手段】
【０００８】
このため、本発明のアクセサリ−類又はその取付具では、アクセサリー類の本体を構成する装飾体１の裏面に固定若しくは着脱自在に設けられる略円盤状の雄側部材２と、該雄側部材２に係脱自在に外挿される略円環状の雌側部材３とを具備している。雄側部材２は、大径とされた略円盤状の係合部４と、該係合部４の中心部から突出され、先端部に前記装飾体１が固定して或いは着脱自在に設けられる小径の軸部５とを有している。また、雌側部材３は、上記係合部４が挿入される環状部６と、該環状部６の孔７の内面に円周方向に間隔９を明けて凹凸状に突出形成される複数の係合片８とを有している。雄側部材２の係合部４が雌側部材３の環状部６内に挿入された状態で、係合部４が複数の各係合片８の先端縁の裏側に係脱自在に係合される。
【０００９】
雄側部材２及び雌側部材３は、硬質合成樹脂や金属による一体構造の成型品であることが望ましいが、多少の弾性を有していてもさしつかえない。
【００１０】
雌側部材３の複数の各係合片８の先端縁を結ぶ線は、略円形の係合孔縁を形成し、この係合孔縁の直径は、略円形とされた雄側部材２の係合部４の直径と略同等若しくは小さく形成されている。
【００１１】
雌側部材３の環状部６は、軸方向に一定の厚みを有しており、複数の各係合片８は、環状部６の内壁面６ａの厚みの表側又は裏側の一方に偏った位置に突出形成され、各係合片８の突出形成位置の裏側又は表側に環状部６の内壁面６ａが表出されている。
【００１２】
上記の取付具１０１により、セーター等の布製の被装着物Ｎにアクセサリー類を取り付ける手順を説明する。
図５又は図６に示すように、布製の被装着物Ｎのアクセサリー類を取り付ける裏側に雌側部材３を当てる。その後、雄側部材２の係合部４を被装着物Ｎを押し出すようにして、雌側部材３の孔７内に、やや傾斜させた状態で押し込むようにする。この時には、係合部４が係合片８の先端縁と間隔９間の大径とされた孔内を通る。すると、雄側部材２の係合部４が、被装着物Ｎの表面側から、被装着物Ｎの布地に包まれた状態で、雌側部材３の係合片８の先端縁の裏側に係合し、アクセサリー類が被装着物Ｎに、着脱自在に取り付けられる。
【００１３】
被装着物Ｎの布地が厚手である場合には、図５に示すように、雌側部材３の係合片８の突出側面を被装着物Ｎに向けて雄側部材２の係合部４と係合させる。すると、被装着物Ｎが、軸部５の外周において雌側部材３の係合片８の表面と装飾体１の裏面との間の、比較的広い間隙内に挟持されて、安全に無理なく取り付けられる。この場合、係合部４は、環状部６の内壁面６ａ内に略収納される（図５Ｃ参照）。
【００１４】
被装着物Ｎの布地が薄手である場合には、図６に示すように、雌側部材３の係合片８の突出側面を被装着物Ｎと反対方向に向けて雄側部材２の係合部４と係合させる。すると、被装着物Ｎが、軸部５の外周において、雌側部材３の環状部６の表面と装飾体１の裏面との比較的狭い間隙内に挟持されて、安全に無理なく取り付けられる。この場合、係合部４は、環状部６の内壁面６ａ外方（裏面側）に突出され、係合片８の裏面に当接係合される（図６Ｃ参照）。
【発明の効果】
【００１５】
以上説明したように、本発明に係るアクセサリ−類又はその取付具では、雄側部材２の係合部４を、被装着物Ｎとともに雌側部材３の孔７内に押し込むようにする簡単な操作により、布製被装着物Ｎの任意の箇所に、ブローチのようなアクセサリ−類を取り付けることができ、着脱作業の為に布地に孔を空ける必要もなく、その着脱作業が容易である。
【００１６】
また、取付具を構成する雄側部材２及び雌側部材３は、合成樹脂又は金属の型成型により容易に製造させることができ、製造時にゴムやバネなどの部品の組み付けなどの面倒な作業や製造工程の必要がない。
【００１７】
また、その装着時、雄側部材２の係合部４が被装着物Ｎの布地によって包まれてやや大径化された状態で、雌側部材３の係合片８の先端縁に係合されることから、係合取付状態が確実で、簡単に脱落するということがない。
【００１８】
さらに、上述したように、雌側部材３の被装着物Ｎに対面する方向を、表裏逆にして雄側部材２に係合させることにより、薄手の布地でも厚手の布地に対しても、容易且つ確実に装着させることができる。
【発明を実施するための最良の形態】
【００１９】
以下、本発明を実施するための最良の形態を、図面を参照しながら、具体的に説明する。図１乃至図６は、本発明に係る一実施の形態に係るアクセサリ−類又はその取付具を示している。
【００２０】
この実施の形態に係るアクセサリ−類又はその取付具１０１は、アクセサリー類の本体を構成する装飾体１と、その裏面に設けられる略円盤状の雄側部材２と、該雄側部材２に係脱自在に外挿される略円環状の雌側部材３とを具備している。
【００２１】
雄側部材２は、大径とされた略円盤状の係合部４と、該係合部４の中心部から突出され、先端部に上記装飾体１が固定して設けられる小径の軸部５とを有している。係合部４の外周面には挿入方向に湾曲するテーパー湾曲縁４ａが形成されている。湾曲縁４ａは、係合部４の雌側部材３内への挿入を容易とするとともに、挿入時に被装着物Ｎの布地に傷が付くことを防止する。雄側部材２及び雌側部材３は、硬質合成樹脂による一体構造の成型品であり、装飾体１は、各種のブローチや宝飾品のような形状とされている。
【００２２】
装飾体１と雄側部材２の軸部５の先端とは、接着、溶着或いはカシメ止めにより固定されている。装飾体１が雄側部材２の軸部５と一体に形成されていても良い。また、装飾体１は、着脱自在に固定させることも可能である。
【００２３】
雌側部材３は、雄側部材２の係合部４が挿入される環状部６と、該環状部６の孔７の内面に円周方向に間隔９を明けて凹凸状に突出形成される複数の係合片８とを有している。係合片８は、この実施の形態では、３個の片が等間隔で突出形成されている。雄側部材２の係合部４が雌側部材３の環状部６内に挿入された状態で、係合部４が複数の各係合片８の先端縁の裏側に係脱自在に係合される。
【００２４】
図４に示すように、雌側部材３の複数の各係合片８の先端縁を結ぶ線は、略円形の係合孔縁を形成し、この係合孔縁の直径は、略円形とされた雄側部材２の係合部４の直径よりもやや小さく形成されている。また、係合部４の直径は、係合片８の先端縁と間隔９の内壁面を結ぶ孔の直径よりも小さく設定され、該係合片８の先端縁と間隔９の間から容易に係合片８の裏面側に挿入される。
【００２５】
雌側部材３の環状部６は、軸方向に一定の厚みを有する短筒形となっており、環状部６の内壁面６ａの表側端面（又は裏側端面）にフランジ状に突出形成されるフランジ部１０の内壁面に、複数の各係合片８が一体に突出形成されている。各係合片８の突出形成位置の裏側（又は表側）に環状部６の内壁面６ａが表出されている。
【００２６】
このように、雌側部材３は、内壁面６ａの奥部に複数の各係合片８がカギ歯状に凹凸形成されたワッシャー状とされている。
【００２７】
雄側部材２及び雌側部材３は、硬質合成樹脂による一体構造の成型品であり、装飾体１は、プラスチックや金属、或いは宝飾品、或いはそれらの組み合わせによる各種のブローチのような形状とすることができる。
【００２８】
上記実施の形態に係る取付具１０１により、セーター等の布製の被装着物Ｎにアクセサリー類を取り付ける手順は、図５又は図６を参照して上記に説明したとおりであるので、省略する。
【産業上の利用可能性】
【００２９】
本発明のアクセサリー類及びその取付具は、上述したように、シャツやスカートなどの衣服、靴下、帽子、襟巻、或いはスカーフなどの服装布製品、或いは、布製の袋物や壁掛けの類などの種々の分野に利用可能である。
【図面の簡単な説明】
【００３０】
【図１】本発明品を、セーターに取り付けた状態を示す正面図である。
【図２】本発明に係る取付具の雄側部材の正面図（Ａ）と背面図（Ｂ）である。
【図３】同取付具の雌側部材の正面図（Ａ）と背面図（Ｂ）である。
【図４】同取付具の分離側面図（Ａ）とその断面図（Ｂ）である。
【図５】本発明に係るアクセサリー類の取付具を厚物の布製品に取り付ける手順を示す側面図である。
【図６】本発明に係るアクセサリー類の取付具を薄物の布製品に取り付ける手順を示す側面図である。
【符号の説明】
【００３１】
１０１  取付具、１  装飾体、２  雄側部材、３  雌側部材、
４  係合部、４ａ  湾曲縁、５  軸部、６  環状部、６ａ  内壁部、７  孔、
８  係合片、９  間隔、１０  フランジ部、Ｎ  被装着物
【図１】
2005095228.tif 000003
【図２】
2005095228.tif 000004
【図３】
2005095228.tif 000005
【図４】
2005095228.tif 000006
【図５】
2005095228.tif 000007
【図６】
2005095228.tif 000008